(57)【要約】      （修正有）【課題】構成素子が簡単で組立てコストを安くできる、モップの水切り作業用脱水装置の伝動構造を提供する。【解決手段】大歯車の第一伝動素子１１、小歯車の第二伝動素子１２、帯動素子１３、弾性素子１４、および、ペダル１５により、伝動ベース１０を構成する。第一伝動素子と第二伝動素子は互いに噛合し、且つ、軸心に、ウォームボルト１１１と、タービン孔を有する帯動素子を挿入連結させて設置し、弾性素子を置設する。ペダルの一側は枢接部を延設して、帯動素子と枢接し、伝動ベースの一側に定位する。第二伝動素子の軸心に、回転棒と水絞り桶２１を有する脱水殻体２０を連結し、モップの水切り操作を実行することができ、帯動素子は、ペダルの下圧を受け、内部のタービン孔と弾性素子の弾性作用下で、ウォームボルトが一方向に旋転し、第一伝動素子と第二伝動素子を連動する。【選択図】図３
0003155733.tif 000002
【実用新案登録請求の範囲】
【請求項１】
脱水装置の伝動構造であって、大歯車の第一伝動素子、小歯車の第二伝動素子、帯動素子、弾性素子、および、ペダルにより、伝動ベースを構成し、前記第一伝動素子と前記第二伝動素子は互いに噛合し、且つ、軸心に、ウォームボルトと、タービン孔を有する前記帯動素子を挿入連結させて設置し、弾性素子を置設し、前記ペダルの一側は枢接部を延設して、前記帯動素子と枢接し、前記伝動ベースの一側に定位し、前記第二伝動素子の軸心に、回転棒と水絞り桶を有する脱水殻体を連結し、モップの水切り操作を実行することができ、前記帯動素子は、前記ペダルの下圧を受け、内部のタービン孔と弾性素子の弾性作用下で、前記ウォームボルトが一方向に旋転し、前記第一伝動素子と前記第二伝動素子を連動し、高効率の歯車伝動の伝達動力を形成して、モップの水切り作業が省力、快速の最適使用状態を達成することを特徴とする脱水装置の伝動構造。
【請求項２】
前記ペダルの枢接部は「コ」の字型で、両端に、それぞれ、枢孔を有し、前記帯動素子の両側の固定段と係合することを特徴とする請求項１に記載の脱水装置の伝動構造。  
【請求項３】
前記ペダルは適当な箇所に栓孔を貫設し、前記伝動ベースの一側の所定箇所に両端が穿孔を有する固定座を設置して、栓素子により鎖固することを特徴とする請求項１に記載の脱水装置の伝動構造。
【考案の詳細な説明】
【技術分野】
【０００１】
本考案は、脱水装置の伝動構造に関するものであって、特に、大歯車の第一伝動素子と小歯車の第二伝動素子が互いに噛合する脱水装置の伝動構造に関するものである。
【背景技術】
【０００２】
一般のモップの水分を絞る脱水装置は以下のような欠点がある。伝動ユニットは、凸柱を有するギアラックを装置部のスロットに設置して、導輪とレールの制限を受けて、推棒と対応して、第一歯車、第二歯車、および、第三歯車を連動し、伝動目的を達成するので、伝動ユニットの組み立て素子が複雑で、生産コストが高く、コストパフォーマンスが悪い。
【考案の概要】
【考案が解決しようとする課題】
【０００３】
本考案は、脱水装置の伝動構造を提供し、上述の問題を改善することを目的とする。
【課題を解決するための手段】
【０００４】
本考案の脱水装置の伝動構造は、ウォームボルトを有する大歯車の第一伝動素子が、タービン孔を有する帯動素子のペダル帯動制限と、弾性素子の弾性作用を受ける状況下で、ウォームボルトを一方向に旋転させ、第一伝動素子は同時に、回転棒の第二伝送素子を有する小歯車と噛合して、高効率の歯車伝動の伝達動力を形成して、省力、快速に、脱水殻体の水絞り桶を旋転させて、モップの水切り作業を実行し、且つ、構成素子が簡単で、組み立てコストが安い。
【考案の効果】
【０００５】
本考案により、高効率の歯車伝動の伝達動力を形成して、省力、快速に、脱水殻体の水絞り桶を旋転させて、モップの水切り作業を実行し、且つ、構成素子が簡単で、組み立てコストが安い。
【図面の簡単な説明】
【０００６】
【図１】本考案の立体分解図である。
【図２】本考案の組み合わせ立体図である。
【図３】本考案の組み合わせ断面図である。
【図４】本考案の伝動ベースの組み合わせ断面図である。
【図５】本考案の使用状態を示す断面図である。
【図６】本考案の伝動ベースの動作を示す断面図である。
【考案を実施するための形態】
【０００７】
以下、添付図面を参照して本考案の実施の形態を詳細に説明する。
【実施例】
【０００８】
図１〜図４を参照すると、本考案は、第一伝動素子１１、第二伝動素子１２、帯動素子１３、弾性素子１４、および、ペダル１５により、伝動ベース１０を構成する。第一伝動素子１１と第二伝動素子１２は、それぞれ、大歯車と小歯車を設置し、且つ、互いに噛合して、高効率のギア伝動の伝達動力を形成し、伝動ベース１０は、水絞り桶２１を有する脱水殻体２０下方に設置されて、モップの水分を絞る。第一伝動素子１１の軸心に、ウォームボルト１１１と、タービン孔１３１を有する帯動素子１３を挿入連結させて設置し、弾性素子１４を置設する。帯動素子１３の両側は固定段１３２を凸設し、ペダル１５の一側は「コ」の字形で、且つ、両端に枢孔１５２を有する枢接部１５１と係合する。ペダル１５の適当な箇所に栓孔１５３を貫設し、伝動ベース１０の一側所定箇所に、両端が穿孔１６１を有する固定座１６を設置して、栓素子１６２により、栓孔１５３と穿孔１６１が鎖固され、第一伝動素子１１のウォームボルト１１１が、帯動素子１３、弾性素子１４と組み合わされて、脱水殻体２０の底面で位置制限される。第二伝動素子１２の軸心に、回転棒１２１と水絞り桶２１を連結する。
【０００９】
図５で示されるように、ペダル１５を下に施力するとき、帯動素子１３もペダル１５の下圧を受けて、上にシフトし、帯動素子１３内部のタービン孔１３１と弾性素子１４の弾性作用下で、ウォームボルト１１１が一方向に旋転する（図６で示される）と同時に、第一伝動素子１１と第二伝動素子１２を連動し、大歯車の第一伝動素子１１と小歯車の第二伝動素子１２が互いに噛合することにより、高効率の歯車伝達動力を形成し、省力、快速に、脱水殻体２０の水絞り桶２１を旋転させて、モップの水切り作業を実行することができる。伝動ベース１０の構成素子は簡単で、組み立てコストが安い。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１１】
１０    伝動ベース
１１    第一伝動素子
１１１  ウォームボルト
１２    第二伝動素子
１３    帯動素子
１３１  タービン孔
１３２  固定段
１４    弾性素子
１５    ペダル
１５１  枢接部
１５２  枢孔
１５３  栓孔
１６    固定座
１６１  穿孔
１６２  栓素子
２０    脱水殻体
２１    水絞り桶
【図１】
0003155733.tif 000003
【図２】
0003155733.tif 000004
【図３】
0003155733.tif 000005
【図４】
0003155733.tif 000006
【図５】
0003155733.tif 000007
【図６】
0003155733.tif 000008
【手続補正書】
【提出日】平成21年9月25日(2009.9.25)
【手続補正１】
【補正対象書類名】実用新案登録請求の範囲
【補正対象項目名】請求項１
【補正方法】変更
【補正の内容】
【請求項１】
脱水装置の伝動構造であって、大歯車の第一伝動素子、小歯車の第二伝動素子、帯動素子、弾性素子、および、ペダルにより、伝動ベースを構成し、前記第一伝動素子と前記第二伝動素子は互いに噛合し、且つ、前記第一伝動素子にウォームボルトを設置して、該ウォームボルトに前記帯動素子のタービン孔を噛合せしめると共に、該帯動素子の上から前記弾性素子を前記ウォームボルトに外挿せしめ、前記ペダルの一側は枢接部を延設して、前記帯動素子と枢接し、前記伝動ベースの一側に定位し、前記第二伝動素子の軸心に、回転棒と水絞り桶を有する脱水殻体を連結し、モップの水切り操作を実行することができ、前記帯動素子は、前記ペダルの下圧を受け、内部のタービン孔と弾性素子の弾性作用下で、前記ウォームボルトが一方向に旋転し、前記第一伝動素子と前記第二伝動素子を連動し、高効率の歯車伝動の伝達動力を形成して、モップの水切り作業が省力、快速の最適使用状態を達成することを特徴とする脱水装置の伝動構造。
【手続補正２】
【補正対象書類名】明細書
【補正対象項目名】０００８
【補正方法】変更
【補正の内容】
【０００８】
図１〜図４を参照すると、本考案は、第一伝動素子１１、第二伝動素子１２、帯動素子１３、弾性素子１４、および、ペダル１５により、伝動ベース１０を構成する。第一伝動素子１１と第二伝動素子１２は、それぞれ、大歯車と小歯車を設置し、且つ、互いに噛合して、高効率のギア伝動の伝達動力を形成し、伝動ベース１０は、水絞り桶２１を有する脱水殻体２０下方に設置されて、モップの水分を絞る。前記第一伝動素子１１にウォームボルト１１１を設置して、該ウォームボルト１１１に前記帯動素子１３のタービン孔１３１を噛合せしめると共に、該帯動素子１３の上から前記弾性素子１４を前記ウォームボルト１１１に外挿せしめる。帯動素子１３の両側は固定段１３２を凸設し、ペダル１５の一側は「コ」の字形で、且つ、両端に枢孔１５２を有する枢接部１５１と係合する。ペダル１５の適当な箇所に栓孔１５３を貫設し、伝動ベース１０の一側所定箇所に、両端が穿孔１６１を有する固定座１６を設置して、栓素子１６２により、栓孔１５３と穿孔１６１が鎖固され、第一伝動素子１１のウォームボルト１１１が、帯動素子１３、弾性素子１４と組み合わされて、脱水殻体２０の底面で位置制限される。第二伝動素子１２の軸心に、回転棒１２１と水絞り桶２１を連結する。